(57)【要約】【課題】周囲が暗い状況でも電源ケーブルや通信ケーブルに脚を引っ掛かけることを防ぎつつ、ノイズを低減して良好なＰＬＣを可能とする。【解決手段】電力線搬送通信用配線器具Ａ１のハウジング１の背面には、栓刃４ａが設けられ、前面には通信機器を接続するためのコネクタが設けられている。電力線搬送通信用配線器具Ａ１は、電力線搬送通信用モデム１５のコモンモードノイズを遮断するコモンモードチョークコイル１２を備えている。埋込コンセント部Ｂ１は、造営面に埋め込まれ、栓刃４ａが挿入される刃受け１０３と、刃受け１０５に接続された電気機器からのノイズを遮断し、端子部１３０に電力線を介して接続された他の通信機器に当該ノイズが送出されることを防止するフィルタ回路１２０とを備えている。【選択図】図２
2008072648.tif 000002
【特許請求の範囲】
【請求項１】
コンセントに差込接続することで建物に配線された電力線と接続される栓刃と、
背面から前記栓刃が突出するハウジングと、
前記ハウジング内に収納され、電力線搬送通信用の信号を変復調する電力線搬送通信用モデムと、
前記ハウジング内に収納され、前記電力線搬送通信用モデムと通信機器とのインタフェースを行う通信インタフェースと、
前記ハウジングの表面に設けられ、通信機器と通信インタフェースとを接続する通信ケーブルが挿抜自在に挿着されるコネクタと、
前記栓刃を介して電力線から給電されることでハウジングの周囲を照明する照明部と、
前記ハウジング内に収納され、前記電力線搬送通信用モデムと前記栓刃との間に介設され、前記電力線搬送通信用モデムのコモンモードノイズを遮断するコモンモードチョークコイルとを備えることを特徴とする電力線搬送通信用配線器具。
【請求項２】
前記コモンモードチョークコイルと前記栓刃との間に、前記電力線搬送通信用モデムへの給電をオンオフする第１のスイッチを介設したことを特徴とする請求項１に記載の電力線搬送通信用配線器具。
【請求項３】
請求項１又は２に記載の電力線搬送通信用配線器具と、造営面に埋め込まれ、前記電力線搬送通信用配線器具に電力線からの電力を供給する埋込コンセント部とを備える電力線搬送通信用配線システムであって、
前記埋込コンセント部は、
前記電力線搬送通信用配線器具における栓刃が挿入される第１の刃受けと、
電力線と接続される端子部と、
前記端子部を介して電力線と接続され、電気機器の栓刃が挿入される第２の刃受けと、
電力線搬送通信の通信帯域を遮断するフィルタ回路と、
前記端子部と前記第１の刃受け及び前記第２の刃受けとを前記フィルタ回路を介して接続させるか、又は前記フィルタ回路を介さずに接続させるかを切り換える第２のスイッチとを備えることを特徴とする電力線搬送通信用配線システム。
【発明の詳細な説明】
【技術分野】
【０００１】
本発明は、オフィスや住宅等の建物に配線された電力線を利用してデータ通信を行うための電力線搬送通信用配線器具及び電力線搬送通信用配線システムに関するものである。
【背景技術】
【０００２】
近年、オフィスや住宅においても複数台のコンピュータをつないだローカル・エリア・ネットワーク（Local Area Network、以下、「ＬＡＮ」と略記する。）が急速に普及している。このようなＬＡＮにおいてコンピュータ間を接続する通信媒体として、通常、通信ケーブル（いわゆるＬＡＮケーブル）が用いられるが、既設のオフィスや住宅に新たにＬＡＮを導入する場合には、配線工事の手間や費用を考慮して電波による無線方式が採用される場合もある（例えば、特許文献１参照）。
【特許文献１】特開２００５−７９９７７号公報
【発明の開示】
【発明が解決しようとする課題】
【０００３】
ところで、従来より給電用の配線（電力線）を利用してデータ通信を行う電力線搬送信（Powre Line Communication、以下、「ＰＬＣ」と略記する。）が提案されている。ＰＬＣには、商用周波数の電力波形に商用周波数よりも高い周波数のＰＬＣの通信信号を重畳して送信すると共にこの電力波形からこの高い周波数のＰＬＣの通信信号を分離して受信する装置（ＰＬＣモデム）が必要である。
【０００４】
電力線は、５０Ｈｚや６０Ｈｚの商用周波数の電流が流れることを前提に設計されているため、高い周波数であるＰＬＣの通信信号が流れるとＰＬＣの通信信号が輻射して輻射ノイズを発生し、他の機器に影響を与えてしまう。特に、近年、インターネット等の高速通信に対応可能とすること等を目的として法規制の緩和が検討されており、従来、ＰＬＣで使用可能な１０ｋＨｚ〜４５０Ｈｚの周波数帯に加えて、より高周波数の２ＭＨｚ〜３０ＭＨｚの周波数帯の使用が検討されている。２ＭＨｚ〜３０ＭＨｚの周波数帯の通信信号を用いてＰＬＣを行う高速ＰＬＣでは、１０ｋＨｚ〜４５０ｋＨｚの周波数帯の通信信号を用いてＰＬＣを行う低速ＰＬＣよりもＰＬＣの通信信号による電力線からの輻射が増大する。
【０００５】
また、逆に、コンセントを介して電力線に接続された機器や電力線の付近に配置された機器等の他の機器に起因したノイズが電力線に乗る場合があり、このようなノイズに対する対策も必要である。
【０００６】
更に、廊下や居間のように人が頻繁に移動する場所にＰＬＣモデムを設置する場合、夜間等の周囲が暗い状況においてはＰＬＣモデムとコンセントとを接続する電源ケーブルやＰＬＣモデムと通信機器とを接続する通信ケーブルが脚に引っ掛かってしまう虞がある。
【０００７】
本発明は上記事情に鑑みてなされたものであり、その目的は、周囲が暗い状況でも電源ケーブルや通信ケーブルに脚を引っ掛かけることを防ぎつつ、ノイズを低減して良好にＰＬＣが可能である電力通信用配線器具及び電力線搬送通信用配線システムを提供することにある。
【課題を解決するための手段】
【０００８】
本発明による電力線搬送通信用配線器具は、コンセントに差込接続することで建物に配線された電力線と接続される栓刃と、背面から前記栓刃が突出するハウジングと、前記ハウジング内に収納され、電力線搬送通信用の信号を変復調する電力線搬送通信用モデムと、前記ハウジング内に収納され、前記電力線搬送通信用モデムと通信機器とのインタフェースを行う通信インタフェースと、前記ハウジングの表面に設けられ、通信機器と通信インタフェースとを接続する通信ケーブルが挿抜自在に挿着されるコネクタと、前記栓刃を介して電力線から給電されることでハウジングの周囲を照明する照明部と、前記ハウジング内に収納され、前記電力線搬送通信用モデムと前記栓刃との間に介設され、前記電力線搬送通信用モデムのコモンモードノイズを遮断するコモンモードチョークコイルとを備えることを特徴とする（請求項１）。
【０００９】
この構成によれば、ハウジングに栓刃を設けたことで電源ケーブルが不要であるから電源ケーブルに脚を引っ掛けることがなく、また、照明部によってハウジングの周囲を照明するために夜間等の周囲が暗い状況でもコネクタに接続された通信ケーブルに脚を引っ掛かけることを防ぐことができる。
【００１０】
また、電力線搬送通信用モデムと栓刃との間にコモンモードチョークコイルが介設されているため、電力線搬送通信用モデムで生じたコモンモードノイズが栓刃を介して電力線へ流出することが抑制され、輻射ノイズを低減することができる。
【００１１】
そして、前記コモンモードチョークコイルと前記栓刃との間に、前記電力線搬送通信用モデムへの給電をオンオフする第１のスイッチを介設することが好ましい（請求項２）。
【００１２】
この構成によれば、電力線搬送通信用モデムの使用を予定していない場合に、第１のスイッチをオフにすることで、電力線搬送通信用モデムの待機電力をゼロにすることができる。
【００１３】
本発明による電力線搬送通信用配線システムは、請求項１又は２に記載の電力線搬送通信用配線器具と、造営面に埋め込まれ、前記電力線搬送通信用配線器具に電力を供給する埋込コンセント部とを備える電力線搬送通信用配線システムであって、前記埋込コンセント部は、前記電力線搬送通信用配線器具における栓刃が挿入される第１の刃受けと、電力線と接続される端子部と、前記端子部を介して電力線と接続され、電気機器の栓刃が挿入される第２の刃受けと、電力線搬送通信の通信帯域を遮断するフィルタ回路と、前記端子部と前記第１の刃受け及び前記第２の刃受けとを前記フィルタ回路を介して接続させるか、又は前記フィルタ回路を介さずに接続させるかを切り換える第２のスイッチとを備えることを特徴とする（請求項３）。
【００１４】
この構成によれば、端子部に電力線を介して他のＰＬＣモデムが接続され、かつ、第２の刃受けに電気機器が接続されている場合、第１の刃受及び第２の刃受けと端子部とがフィルタ回路を介して接続されるように第２のスイッチを切り換えることで、第２の刃受けに接続された電気機器からのノイズがフィルタ回路によって遮断され、このノイズが他のＰＬＣモデムに流入することを防止することができる。
【００１５】
一方、第１の刃受けに接続された電力線搬送通信用配線器具を用いてＰＬＣを行う場合は、第１の刃受け及び第２の刃受けと端子部とがフィルタ回路を介さずに接続されるように第２のスイッチを切り換えることで、ＰＬＣを実現することができる。
【発明の効果】
【００１６】
本発明によれば、ハウジングに栓刃を設けたことで電源ケーブルが不要であるから電源ケーブルに脚を引っ掛けることがなく、また、照明部によってハウジングの周囲を照明するために夜間等の周囲が暗い状況でもコネクタに接続された通信ケーブルに脚を引っ掛かけることを防ぐことができる。
【００１７】
また、電力線搬送通信用モデムと栓刃との間にコモンモードチョークコイルが介設されているため、電力線搬送通信用モデムで生じたコモンモードノイズが栓刃を介して電力線へ流出することが抑制され、輻射ノイズを低減することができる。
【発明を実施するための最良の形態】
【００１８】
以下、本発明の実施の形態について図面を用いて説明する。なお、各図において同一の符号を付した構成は、同一の構成であることを示し、説明を省略する。
【００１９】
（実施の形態１）
本発明の実施の形態１による電力線搬送通信用配線システムは、図１に示す電力線搬送通信用配線器具Ａ１と、造営面に埋め込まれ、電力線搬送通信用配線器具Ａ１に電力を供給する図３に示す埋込コンセント部Ｂ１とを備える。
【００２０】
図１は、本発明の実施の形態１による電力線搬送通信用配線システムの電力線搬送通信用配線器具Ａ１の外観構成図を示し、（ａ）は正面図、（ｂ）は側面図、（ｃ）は上面図を示している。実施の形態１の電力線搬送通信用配線器具Ａ１は、コンセントに差込接続することで建物の屋内に配線された電力線と接続される一対の栓刃４ａ，４ａを含むプラグ部４と、略箱形に形成され背面の上部中央から栓刃４ａ，４ａが突出するハウジング１とを備える。
【００２１】
ハウジング１は、略箱形の合成樹脂成型品からなり、前面中央には通信ケーブル（ＣＡＴ５のＬＡＮケーブル）の先端に付設されているコネクタ（ＲＪ−４５のモジュラープラグ）が挿抜自在に接続される受け側コネクタ（ＲＪ−４５のモジュラージャック３）の差込口３ａが露出している。ハウジング１の下部には複数個の発光ダイオードＬＤが一列に並べて収納され、これら複数個の発光ダイオードＬＤを保護するとともに発光ダイオードＬＤが発する光を透過させる透明又は半透明の透光カバー１２１がハウジング１の前面下部に設けられている。また、ハウジング１前面の差込口３ａの上方には表示素子（発光ダイオード）３ｅが露出している。モジュラージャック３の下方には、後述するスイッチ部１７が設けられている。
【００２２】
なお、コネクタが差込口３ａに差し込まれていない場合に埃等が入らないようにするために、例えば、前方へ突出する操作つまみが突設された、上下方向に移動自在である扉によって開閉自在に閉塞されるように、差込口３ａが構成されてもよい。
【００２３】
図２は、図１に示す電力線搬送通信用配線器具Ａ１の回路構成を示すブロック図である。図２に示す電力線搬送通信用配線器具Ａ１は、モジュラージャック３、プラグ部４、電源部５、表示回路１１、コモンモードチョークコイル１２、電力線搬送通信用モデム１５、通信インタフェース１６、スイッチ部１７、電源回路１８、明るさセンサ１９、及び照明部２０を備える。
【００２４】
プラグ部４は、埋込コンセント部Ｂ１に差し込むことで屋内に配線されている電力線と接続され、一対の栓刃４ａ，４ａを含む。
【００２５】
電力線搬送通信用モデム１５は、結合回路６、送受信部７、及びモデム８を少なくとも含み、電力線搬送通信用の通信信号を変復調する。結合回路６は、コンデンサＣ１，Ｃ２及び絶縁トランスＴを備える。コンデンサＣ１，Ｃ２は、商用電源周波数（電源成分）をカットするコンデンサである。絶縁トランスＴは、１次側がコンデンサＣ１，Ｃ２を介してコモンモードチョークコイル１２に接続され、２次側が送受信部７に接続されている。
【００２６】
送受信部７は、結合回路６とモデム８との間に接続され、絶縁トランスＴの２次側に接続されて電力線との間で電力線搬送通信用の信号（以下、通信信号と呼ぶ。）を送受信する。すなわち、送受信部７は、結合回路６により出力された通信信号をモデム８の受信に適した信号形態に変換し、受信信号ＲＸとしてモデム８に出力する受信回路７ａと、モデム８から出力された送信信号Ｔｘを電力線搬送通信用の信号形態に変換し、結合回路６に出力する送信回路７ｂとを備えている。
【００２７】
モデム８は、電力線に重畳して伝送される所定形式の通信信号からデータ信号を復調する復調機能並びにコンピュータなどの通信機器側の送信データを所定形式の通信信号に変調する変調機能を有する。
【００２８】
このように、結合回路６、送受信部７、及びモデム８を少なくとも備える電力線搬送通信用モデム１５が構成され、商用周波数の電力波形に商用周波数よりも高い周波数のＰＬＣの通信信号が重畳されて送信されると共に、この電力波形からこの高い周波数のＰＬＣの通信信号が分離されて受信される。
【００２９】
通信インタフェース１６は、ＬＡＮコントローラ９及び制御回路１０を備える。ＬＡＮコントローラ９は、モジュラージャック３に接続される通信ケーブルを介して通信機器との間で１００ＢＡＳＥ−ＴＸなどの規格に準拠したデータ伝送を行う。制御回路１０は、ＣＰＵを主構成要素とし、モデム８とＬＡＮコントローラ９との間で授受するデータ（パケット）のフィルタリングなどのセキュリティ機能や、データ伝送中であることを知らせるために表示回路１１を制御して表示回路１１が有する表示素子３ｅを発光させる機能等を有している。
【００３０】
モジュラージャック３は、例えばＲＪ−４５等の規格に準拠するコネクタであり、通信ケーブルを介して通信機器と接続される。
【００３１】
表示回路１１は、図１に示す表示素子３ｅから構成され、制御回路１０の制御の下、発光、点滅等することで、現在、データが伝送中であるというような情報を報知する。
【００３２】
電源部５は、電力線からプラグ部４及びコモンモードチョークコイル１２を介して給電される商用交流電源から直流電源を生成し、送受信部７、モデム８、ＬＡＮコントローラ９、制御回路１０、及び表示回路１１等の各回路へ、直流電力を供給する。詳細には、電源部５は、ＰＬＣの周波数帯域（例えば２ＭＨｚ〜３０ＭＨｚ）に対して高インピーダンスになるインピーダンスアッパ回路５ａと、ＡＣ−ＤＣコンバータからなる電源回路５ｂとを備える。
【００３３】
コモンモードチョークコイル１２は、プラグ部４と電力線搬送通信用モデム１５との間（具体的には、スイッチ部１７と結合回路６との間）に介設され、電力線搬送通信用モデム１５のコモンモードノイズを遮断する。これにより、電力線搬送通信用モデム１５で生じたコモンモードノイズが、電力線へ流出することが抑制され、輻射ノイズが低減される。
【００３４】
スイッチ部１７（第１のスイッチ）は、コモンモードチョークコイル１２とプラグ部４との間に接続され、線路Ｌ１に接続されたスイッチＳ１１と線路Ｌ２に接続されたスイッチＳ１２と、図１に示すつまみＳ１３とを備える。線路Ｌ１は、コモンモードチョークコイル１２とプラグ部４とを接続する。線路Ｌ２は、コモンモードチョークコイル１２とプラグ部４とを接続する。図１に示すように、つまみＳ１３は、ハウジング１の前面において左右方向にスライド可能に配設されている。つまみＳ１３が例えば左側にスライドされると、スイッチＳ１１，Ｓ１２が共にオフされ、つまみＳ１３が例えば右側にスライドされると、スイッチＳ１１，Ｓ１２が共にオンされる。
【００３５】
スイッチＳ１１，Ｓ１２がオフされると、電力線から電力線搬送通信用モデム１５側への電力供給が遮断され、スイッチＳ１１，Ｓ１２がオンされると、電力線からの電力が電力線搬送通信用モデム１５側へ供給される。
【００３６】
電源回路１８は、例えばＡＣ−ＤＣコンバータから構成され、照明部２０及び明るさセンサ１９に直流の電力を供給する。明るさセンサ１９は、太陽電池又は光電変換素子を有し、ハウジング１の上面に設けられた窓孔１ａ（図１（ｃ）参照）を通して入射する光の強さ（明るさ）に応じた電圧信号（以下、明るさ検出信号と呼ぶ。）を制御回路１０に出力する。
【００３７】
照明部２０は、図１に示す複数個の発光ダイオードＬＤと、電源回路１８から供給される直流電源で発光ダイオードＬＤを発光させる発光回路（図示せず）とを備える。制御回路１０は、明るさセンサ１９が出力する明るさ検出信号を所定のしきい値と比較し、明るさ検出信号がしきい値を下回っている場合、照明部２０を発光させ、明るさ検出信号がしきい値以上の場合、照明部２０を消灯させる。すなわち、制御回路１０は、周囲の明るさ（照度）がしきい値に対応する明るさよりも低下した（暗くなった）場合にだけ発光回路によって発光ダイオードＬＤを発光させる。
【００３８】
ところで、本実施形態の電力線搬送通信用配線器具Ａ１の栓刃４ａ，４ａが差込接続される埋込コンセント部Ｂ１は、図３に示すように壁面のような造営面に埋込配設される。埋込コンセント部Ｂ１は、電力線搬送通信用配線器具Ａ１のハウジング１と嵌合する嵌合凹所１０１を有している。嵌合凹所１０１の底面には、一対の栓刃挿入口１０３ａ，１０３ａを有するタップ部１０２と、一対の栓刃挿入口１０５ａ，１０５ａを有するタップ部１０４とが上下に２つ並べて配設されている。タップ部１０２に下側には、後述するスイッチ部１１０が配設されている。スイッチ部１１０は、左右にスライド可能に配設されたつまみＳ２３を備える。
【００３９】
ここで、電力線搬送通信用配線器具Ａ１を埋込コンセント部Ｂ１に取り付ける際は、ハウジング１を嵌合凹所１０１内に挿入すると、栓刃挿入口１０３ａ，１０３ａに栓刃４ａ，４ａが挿入され、刃受け１０３，１０３（図２参照）と電力線とが電気的に接続され、電力線搬送通信用モデム１５等に電力線からの電力が供給される。また、電力線搬送通信用配線器具Ａ１のハウジング１は、嵌合凹所１０１内に半分埋め込まれた状態で取り付けられるので、造営面からの突出量が少なくなり、造営面にすっきりと取り付けることができ、しかもハウジング１の周面が嵌合凹所１０１の内面によって保持されるので、ハウジング１のがたつきを無くすことができる。このように、造営面に設置されたコンセントに栓刃４ａを差し込むことによって、電力線搬送通信用配線器具Ａ１が電力線に接続されて電力線搬送通信を行うことができるので、コンセントが設置されている場所であれば、所望の場所にハウジング１を取り付けて使用することができる。
【００４０】
図２に示すように、埋込コンセント部Ｂ１は、タップ部１０２，１０４、スイッチ部１１０（第２のスイッチ）、フィルタ回路１２０、及び端子部１３０を備える。
【００４１】
タップ部１０２は、一対の刃受け１０３，１０３（第１の刃受け）を含み、例えば、電力線搬送通信用配線器具Ａ１の栓刃４ａ，４ａが接続される。タップ部１０４は、一対の刃受け１０５，１０５（第２の刃受け）を含み、例えば、電気機器（図略）が備える電源プラグの栓刃（図略）が接続される。
【００４２】
スイッチ部１１０は、スイッチＳ２１，Ｓ２２及び図３に示すつまみＳ２３を備え、端子部１３０と刃受け１０２，１０２及び刃受け１０５，１０５とを前記フィルタ回路を介して接続させるか、又は前記フィルタ回路を介さずに接続させるかを切り換える。
【００４３】
スイッチＳ２１は、ノードＮ１１，Ｎ２１，Ｎ２２を備える。ノードＮ１１は、刃受け１０３の左側の刃受け、及び刃受け１０５の右側の刃受けと接続されている。ノードＮ２１は端子部１３０と接続され、ノードＮ２２はフィルタ回路１２０を介して端子部１３０と接続されている。
【００４４】
スイッチＳ２２は、ノードＮ１２，Ｎ２３，Ｎ２４を備える。ノードＮ１２は刃受け１０３の右側の刃受け、及び刃受け１０５の左側の刃受けと接続されている。ノードＮ２３は端子部１３０と接続され、ノードＮ２４はフィルタ回路１２０を介して端子部１３０と接続されている。
【００４５】
そして、ユーザによりつまみＳ２３が例えば左側にスライドされると、スイッチＳ２１はノードＮ１１とノードＮ２１とを接続し、スイッチＳ２２はノードＮ１２とノードＮ２３とを接続する。これにより、刃受け１０３，１０５は、フィルタ回路１２０を介さずに端子部１３０に接続される。
【００４６】
一方、ユーザによりつまみＳ２３が例えば右側にスライドされると、スイッチＳ２１はノードＮ１１とノードＮ２２とを接続し、スイッチＳ２２はノードＮ１２とノードＮ２４とを接続する。これにより、刃受け１０３，１０５は、フィルタ回路１２０を介して端子部１３０と接続される。
【００４７】
フィルタ回路１２０は、ＰＬＣの通信帯域（例えば２ＭＨｚ〜３０ＭＨｚ）を遮断する。これにより、タップ部１０４又はタップ部１０２に電気的に接続された電気機器で生じたノイズが端子部１３０を介して電力線に流出されることが抑制され、電力線を介して接続された他の通信機器にタップ部１０４又はタップ部１０２に接続された電気機器で生じたノイズが流入することを抑制することができる。
【００４８】
また、フィルタ回路１２０は、コモンモードノイズを遮断する機能及びノーマルモードノイズを遮断する機能を備えている。コモンモードノイズを遮断する機能は、フィルタ回路１２０に、コモンモードチョークコイルを設けることで実現することができる。また、ノーマルモードノイズを遮断する機能は、コイル、抵抗、コンデンサ等から構成され、ノーマルモードノイズを遮断するフィルタを、フィルタ回路１２０に設けることで実現することができる。
【００４９】
上述のように本実施の形態１の電力線搬送通信用配線システムの電力線搬送通信用配線器具Ａ１では、ハウジング１に栓刃４ａを設けたことで電源ケーブルが不要であるから電源ケーブルに脚を引っ掛けることがなく、また、照明部２０によってハウジング１の周囲を照明するために夜間等の周囲が暗い状況でもモジュラージャック３に接続された通信ケーブルに脚を引っ掛かけることを防ぐことができる。
【００５０】
また、電力線搬送通信用モデム１５と栓刃４ａとの間にコモンモードチョークコイル１２が介設されているため、電力線搬送通信用モデム１５で生じたコモンモードノイズが栓刃４ａを介して電力線へ流出することが抑制され、輻射ノイズを低減することができる。
【００５１】
また、端子部１３０に電力線を介して他のＰＬＣの通信機器が接続され、かつ、刃受け１０３又は刃受け１０５に電気機器が接続されている場合、刃受け１０３及び刃受け１０４と端子部１３０とがフィルタ回路１２０を介して接続されるようにスイッチ部１１０を切り換えることで、刃受け１０３に接続された電気機器からのノイズがフィルタ回路１２０によって遮断され、このノイズが他のＰＬＣの通信機器に流入することを防止することができる。
【００５２】
一方、電力線搬送通信用配線器具Ａ１を用いて電力線搬送通信を行う場合は、刃受け１０３及び刃受け１０５と端子部１３０とがフィルタ回路１２０を介さずに接続されるようにスイッチ部１１０を切り換えることで、電力線搬送通信を実現することができる。
【００５３】
（実施の形態２）
図４は、実施の形態２による電力線搬送通信配線システムの電力線搬送通信用配線器具Ａ２の外観斜視図を示している。図５は、実施の形態２による電力線搬送通信配線システムの回路ブロック図を示している。実施の形態２による電力線搬送通信配線システムは、電力線搬送通信用配線器具Ａ２が、通信機器とモデム８とのインタフェースとして、実施の形態１におけるＬＡＮコントローラ９に代えてＵＳＢコントローラ９ａを用いたことを特徴としている。
【００５４】
図４に示すようにハウジング１の前面中央には、モジュラージャック３の差込口３ａの代わりに、通信ケーブル（ＵＳＢケーブル）の先端に付設されているＵＳＢコネクタの差込側（以下、ＵＳＢプラグと呼ぶ。）が挿抜自在に接続されるＵＳＢコネクタの受け側（以下、ＵＳＢジャックと呼ぶ）１５０の差込口１５０ａが露出している。また、図５に示すようにＵＳＢジャック１５０に接続される通信ケーブル（ＵＳＢケーブル）を介して通信機器との間でＵＳＢの規格に準拠してデータ伝送を行うためのＵＳＢコントローラ９ａがＬＡＮコントローラ９の代わりに設けてある。
【００５５】
そして、実施の形態２の電力線搬送通信用配線器具Ａ２のＵＳＢジャック１５０とパーソナルコンピュータのＵＳＢジャックをＵＳＢケーブルで接続すれば、パーソナルコンピュータ同士でＵＳＢケーブルを介して電力線搬送通信を行うことができる。
【図面の簡単な説明】
【００５６】
【図１】本発明の実施の形態１による電力線搬送通信用配線システムの電力線搬送通信用配線器具Ａ１の外観構成図を示し、（ａ）は正面図、（ｂ）は側面図、（ｃ）は上面図を示している。
【図２】図１に示す電力線搬送通信用配線器具Ａ１の回路構成を示すブロック図である。
【図３】本発明の実施の形態１による電力線搬送通信用配線システムの埋込コンセント部Ｂ１の外観構成図を示す図である。
【図４】実施の形態２による電力線搬送通信配線システムの電力線搬送通信用配線器具Ａ２の外観斜視図を示している。
【図５】実施の形態２による電力線搬送通信配線システムの回路ブロック図を示している。
【符号の説明】
【００５７】
Ａ１，Ａ２  電力線搬送通信用配線器具
Ｂ１  埋込コンセント部
１  ハウジング
３  モジュラージャック
４  プラグ部
４ａ  栓刃
５  電源部
６  結合回路
７  送受信部
８  モデム
９  ＬＡＮコントローラ
９ａ  ＵＳＢコントローラ
１０  制御回路
１１  表示回路
１２  コモンモードチョークコイル
１３  フィルタ回路
１５  電力線搬送通信用モデム
１６  通信インタフェース
１７  スイッチ部
１８  電源回路
１９  明るさセンサ
２０  照明部
１０１      嵌合凹所
１０２，１０４  タップ部
１０３ａ，１０５ａ  栓刃挿入口
１１０      スイッチ部
１２０      フィルタ回路
１３０  端子部
１５０  ＵＳＢジャック
ＬＤ  発光ダイオード
【図１】
2008072648.tif 000003
【図２】
2008072648.tif 000004
【図３】
2008072648.tif 000005
【図４】
2008072648.tif 000006
【図５】
2008072648.tif 000007
【手続補正書】
【提出日】平成19年10月31日(2007.10.31)
【手続補正１】
【補正対象書類名】特許請求の範囲
【補正対象項目名】全文
【補正方法】変更
【補正の内容】
【特許請求の範囲】
【請求項１】
電力線搬送通信用配線器具と、造営面に埋め込まれ、前記電力線搬送通信用配線器具に電力線からの電力を供給する埋込コンセント部とを備える電力線搬送通信用配線システムであって、
前記電力線搬送通信用配線器具は、
コンセントに差込接続することで建物に配線された電力線と接続される栓刃と、
背面から前記栓刃が突出するハウジングと、
前記ハウジング内に収納され、電力線搬送通信用の信号を変復調する電力線搬送通信用モデムと、
前記ハウジング内に収納され、前記電力線搬送通信用モデムと通信機器とのインタフェースを行う通信インタフェースと、
前記ハウジングの表面に設けられ、通信機器と通信インタフェースとを接続する通信ケーブルが挿抜自在に挿着されるコネクタと、
前記栓刃を介して電力線から給電されることでハウジングの周囲を照明する照明部と、
前記ハウジング内に収納され、前記電力線搬送通信用モデムと前記栓刃との間に介設され、前記電力線搬送通信用モデムのコモンモードノイズを遮断するコモンモードチョークコイルとを備え、
前記埋込コンセント部は、
前記電力線搬送通信用配線器具における栓刃が挿入される第１の刃受けと、
電力線と接続される端子部と、
前記端子部を介して電力線と接続され、電気機器の栓刃が挿入される第２の刃受けと、
電力線搬送通信の通信帯域を遮断するフィルタ回路と、
前記端子部と前記第１の刃受け及び前記第２の刃受けとを前記フィルタ回路を介して接続させるか、又は前記フィルタ回路を介さずに接続させるかを切り換える第２のスイッチとを備えることを特徴とする電力線搬送通信用配線システム。
【請求項２】
前記コモンモードチョークコイルと前記栓刃との間に、前記電力線搬送通信用モデムへの給電をオンオフする第１のスイッチを介設したことを特徴とする請求項１に記載の電力線搬送通信用配線システム。
【手続補正３】
【補正対象書類名】明細書
【補正対象項目名】０００１
【補正方法】変更
【補正の内容】
【０００１】
本発明は、オフィスや住宅等の建物に配線された電力線を利用してデータ通信を行うための電力線搬送通信用配線システムに関するものである。
【手続補正４】
【補正対象書類名】明細書
【補正対象項目名】０００７
【補正方法】変更
【補正の内容】
【０００７】
本発明は上記事情に鑑みてなされたものであり、その目的は、周囲が暗い状況でも電源ケーブルや通信ケーブルに脚を引っ掛かけることを防ぎつつ、ノイズを低減して良好にＰＬＣが可能である電力線搬送通信用配線システムを提供することにある。
【手続補正５】
【補正対象書類名】明細書
【補正対象項目名】０００８
【補正方法】変更
【補正の内容】
【０００８】
本発明による電力線搬送通信用配線システムは、電力線搬送通信用配線器具と、造営面に埋め込まれ、前記電力線搬送通信用配線器具に電力線からの電力を供給する埋込コンセント部とを備える電力線搬送通信用配線システムであって、前記電力線搬送通信用配線器具は、コンセントに差込接続することで建物に配線された電力線と接続される栓刃と、背面から前記栓刃が突出するハウジングと、前記ハウジング内に収納され、電力線搬送通信用の信号を変復調する電力線搬送通信用モデムと、前記ハウジング内に収納され、前記電力線搬送通信用モデムと通信機器とのインタフェースを行う通信インタフェースと、前記ハウジングの表面に設けられ、通信機器と通信インタフェースとを接続する通信ケーブルが挿抜自在に挿着されるコネクタと、前記栓刃を介して電力線から給電されることでハウジングの周囲を照明する照明部と、前記ハウジング内に収納され、前記電力線搬送通信用モデムと前記栓刃との間に介設され、前記電力線搬送通信用モデムのコモンモードノイズを遮断するコモンモードチョークコイルとを備え、前記埋込コンセント部は、前記電力線搬送通信用配線器具における栓刃が挿入される第１の刃受けと、電力線と接続される端子部と、前記端子部を介して電力線と接続され、電気機器の栓刃が挿入される第２の刃受けと、電力線搬送通信の通信帯域を遮断するフィルタ回路と、前記端子部と前記第１の刃受け及び前記第２の刃受けとを前記フィルタ回路を介して接続させるか、又は前記フィルタ回路を介さずに接続させるかを切り換える第２のスイッチとを備えることを特徴とする。
【手続補正６】
【補正対象書類名】明細書
【補正対象項目名】００１０
【補正方法】変更
【補正の内容】
【００１０】
また、電力線搬送通信用モデムと栓刃との間にコモンモードチョークコイルが介設されているため、電力線搬送通信用モデムで生じたコモンモードノイズが栓刃を介して電力線へ流出することが抑制され、輻射ノイズを低減することができる。更に、この構成によれば、端子部に電力線を介して他のＰＬＣモデムが接続され、かつ、第２の刃受けに電気機器が接続されている場合、第１の刃受及び第２の刃受けと端子部とがフィルタ回路を介して接続されるように第２のスイッチを切り換えることで、第２の刃受けに接続された電気機器からのノイズがフィルタ回路によって遮断され、このノイズが他のＰＬＣモデムに流入することを防止することができる。一方、第１の刃受けに接続された電力線搬送通信用配線器具を用いてＰＬＣを行う場合は、第１の刃受け及び第２の刃受けと端子部とがフィルタ回路を介さずに接続されるように第２のスイッチを切り換えることで、ＰＬＣを実現することができる。
【手続補正７】
【補正対象書類名】明細書
【補正対象項目名】００１３
【補正方法】削除
【補正の内容】
【手続補正８】
【補正対象書類名】明細書
【補正対象項目名】００１４
【補正方法】削除
【補正の内容】
【手続補正９】
【補正対象書類名】明細書
【補正対象項目名】００１５
【補正方法】削除
【補正の内容】
【手続補正１０】
【補正対象書類名】明細書
【補正対象項目名】００１７
【補正方法】変更
【補正の内容】
【００１７】
また、電力線搬送通信用モデムと栓刃との間にコモンモードチョークコイルが介設されているため、電力線搬送通信用モデムで生じたコモンモードノイズが栓刃を介して電力線へ流出することが抑制され、輻射ノイズを低減することができる。また、端子部に電力線を介して他のＰＬＣモデムが接続され、かつ、第２の刃受けに電気機器が接続されている場合、第１の刃受及び第２の刃受けと端子部とがフィルタ回路を介して接続されるように第２のスイッチを切り換えることで、第２の刃受けに接続された電気機器からのノイズがフィルタ回路によって遮断され、このノイズが他のＰＬＣモデムに流入することを防止することができる。一方、第１の刃受けに接続された電力線搬送通信用配線器具を用いてＰＬＣを行う場合は、第１の刃受け及び第２の刃受けと端子部とがフィルタ回路を介さずに接続されるように第２のスイッチを切り換えることで、ＰＬＣを実現することができる。